(57)【要約】【課題】気体，液体，粉体及び粒体等の輸送路の一部に構成される異物類除去用フィルタにおいて、網目もしくは格子状に形成されたフィルタでは髪の毛等の混入異物を効率的に除去することが困難であるのが現状でありまた粘度の大きな流動体に適用することが困難な現状に鑑み、異物類除去装置及び異物類除去方法を提供する。【解決手段】気体，液体，粉体及び粒体等は、導入部１１に導入されフィルタ２０を通過し排出部１３へと排出されるが、前記フィルタ２０を通過するときにフィルタ２０に形成された徐々に狭くなる間隙部により流動体等に混入した髪の毛等の混入異物類を効率的に分離除去する。【選択図】図１
2005205370.tif 000002
【特許請求の範囲】
【請求項１】
気体，液体，粉体もしくは粒体等を移送する流体移送路の途中に設けられて前記流体等から異物を除去する装置において、該装置は、前記流体等を導入する導入口とこの導入口から導入された流体等から前記異物を除去する異物除去部とこの異物除去部を通過した流体等を排出する排出口とを備えるものからなり、前記異物除去部は板状もしくは円筒状の金属等により構成され、前記板状もしくは円筒状の金属部分に多数の孔が形成され、該孔の近傍又は該孔の一部が徐々に狭くなる間隙を形成していることを特徴とする異物類除去装置。
【請求項２】
気体，液体，粉体もしくは粒体等を移送する流体移送路の途中に設けられて前記流体等から異物を除去する装置であって、前記装置内に設置される異物除去部が板状もしくは円筒状の金属等により構成され、前記板状もしくは円筒状の金属部に多数の孔が形成され、該孔の近傍又は該孔の一部が徐々に狭くなる間隙を形成していることを特徴とする異物類除去装置により異物類を除去する方法であって、該方法は前記の徐々に狭くなる間隙部により、移送される気体，液体，粉体もしくは粒体等に混入した異物類を除去することを特徴とする異物類除去方法。
【請求項３】
気体，液体，粉体もしくは粒体等を移送する流体移送路の途中に設けられて前記流体等から異物を除去する装置において、該装置は、前記流体等を導入する導入口とこの導入口から導入された流体等から前記異物を除去する異物除去部とこの異物除去部を通過した流体等を排出する排出口とを備えるものからなり、前記異物除去部が板状もしくは円筒状の金属等により構成され、前記板状もしくは円筒状の金属等部の一部を切断し、該切断部以外の連結部を曲げることもしくは変形することにより前記板状もしくは円筒状等の異物除去部に多数の孔を形成し、該孔の近傍又は該孔の一部が徐々に狭くなる間隙を形成することを特徴とする異物類除去装置。
【請求項４】
気体，液体，粉体もしくは粒体等を移送する流体移送路の途中に設けられて前記流体等から異物を除去する装置であって、前記装置内に設置される異物除去部が板状もしくは円筒状の金属等により構成され、前記板状もしくは円筒状の金属等部の一部を切断し、該切断部以外の連結部を曲げることもしくは変形することにより前記板状もしくは円筒状等の異物除去部に多数の孔を形成し、該孔の近傍又は該孔の一部が徐々に狭くなる間隙を形成することを特徴とする異物類除去装置により異物類を除去する方法であって、該方法は前記の徐々に狭くなる間隙部により、移送される気体，液体，粉体もしくは粒体等に混入した異物類を除去することを特徴とする異物類除去方法。
【請求項５】
気体，液体，粉体もしくは粒体等を移送する流体移送路の途中に設けられて前記流体等から異物を除去する装置において、該装置は、前記流体等を導入する導入口とこの導入口から導入された流体等から前記異物を除去する異物除去部とこの異物除去部を通過した流体等を排出する排出口とを備えるものからなり、前記異物除去部が板状もしくは短冊状もしくは棒状の金属等により構成され、該板状もしくは短冊状もしくは棒状の金属等がお互いに徐々に狭くなる間隙を形成することを特徴とし、形成された徐々に狭くなる間隙部により、移送される気体，粉体もしくは粒体等に混入した異物類を除去することを特徴とする異物類除去装置。
【請求項６】
気体，液体，粉体もしくは粒体等を移送する流体移送路の途中に設けられて前記流体等から異物を除去する装置であって、前記装置内に設置される異物除去部が板状もしくは短冊状もしくは棒状の金属等により構成され、該板状もしくは短冊状もしくは棒状の金属等がお互いに徐々に狭くなる間隙を形成することを特徴とする異物類除去装置により異物類を除去する方法であって、該方法は前記の徐々に狭くなる間隙部により、移送される気体，液体，粉体もしくは粒体等に混入した異物類を除去することを特徴とする異物類除去方法。
【発明の詳細な説明】
【技術分野】
【０００１】
本発明は、気体，液体，粉体もしくは粒体等に混入した異物類を分離・除去するために用いられるフィルタ装置に関する。更に詳しくは、固形物を含有する液体などで比較的粘度が大きく流動性が乏しい流動体に関して、混入した異物類を除去する異物類除去装置及び異物類除去方法に関する。
【背景技術】
【０００２】
飲料や様々な食品，薬品類，香辛料，調味料，各種のプラスチック原料，顔料，肥料など様々な気体，液体，粉体及び粒体等の流動体には、その加工工程や製造工程にてさまざまな異物類が混入する可能性がある。例えば、製造や加工の工程において人間の髪の毛やツメや昆虫類などの混入が考えられる。近年では、製造物責任の考え方及び衛生的な考え方から，特に食品類加工における髪の毛等を除去する要求が非常に大きくなってきた。
【０００３】
様々な製品の製造工程では、多品種少量生産に対する等人間による加工工程を排除することは困難である。しかし、人間が作業すれば、髪の毛などの異物類の混入を完全に無くすことは不可能であり現実的でない。完全を求めいかなる管理を行なっても、混入異物類を全て排除することはできない。
【０００４】
従来から用いられている金属異物類除去装置は、一般的に、気体，液体，粉体及び粒体等を通過させるための上部開口部及び下部開口部を有する異物類除去室内部に、磁石モジュールを装着した構造のものが用いられることが多い。生産設備等を構成する材料の多くは鉄系であり、前記異物類は磁性をもっていることが多い。このような混入異物類では、強力な永久磁石モジュールを組み込んだ磁性体異物除去室を構成し、該磁性体異物類除去室内を各種の気体，液体，粉体及び粒体等が通過する過程において、磁性体異物類除去室内部に設置された永久磁石モジュールにより磁性異物類を吸着し、前記気体，液体，粉体及び粒体等に混入した磁性異物類を除去することができる。
【０００５】
前記のような磁性異物類を除去するためには、複数の永久磁石モジュールを組み合わせたバーマグネットを気体，液体，粉体及び粒体等の流れの中に配置して、磁性を持つ異物類を磁気的に吸着させて除去するものが知られている。
【０００６】
バーマグネットに磁気的に吸着した磁性異物類は、異物除去機能を維持するために定期的に除去・掃除する必要がある。従来では、定期的もしくは磁性異物類が吸着した時点でウェス等によって拭き取って掃除したり、粘着テープにより除去したり、圧縮空気により除去した。また、除去・掃除を自動化するする機構に関する出願もなされている。
【特許文献１】特開２００２−１１３３８６号公報（第２−４項，第１−９図）
【０００７】
従来から用いられている磁性を持たない異物類を除去分離する異物類除去装置には、網目状もしくは格子状のフィルタ装置が設置されていることが多い。
【発明の開示】
【発明が解決しようとする課題】
【０００８】
人間の髪の毛や体毛や昆虫類の足や触角などの柔軟で細い混入異物類は様々なものが考えられる。特に日本人の場合では、その体毛や髪の毛の多くは黒色であり、わずかな量が混入した場合でも非常に目立つ。また、食品類等に混入した場合、衛生面からの要求もあり、製造物に対する責任の考え方が高度に意識される社会情勢もまた進展しつつある。
【０００９】
様々な粉体や流体に混入した異物類を分離除去するために、その製造工程や加工工程には多くのフィルタ類が組み込まれている。前記のマグネットフィルタは磁性金属混入異物を分離除去する装置のひとつの例である。
【００１０】
様々な粉体や流体に混入した異物類を分離除去するために、フィルタ装置が組み込まれているが、その多くは網状もしくは格子状の構造を有する。気体，液体，粉体及び粒体等の輸送路内面に、これらの網状もしくは格子状等のフィルタを設置した場合、その輸送される気体，液体，粉体及び粒体等の粘度が小さく、流動性に富む場合であれば該フィルタ類による流動性の低下は大きくないものである。しかし、輸送する流動体の粘度が大きいものである場合には、網状もしくは格子状等のフィルタ類による流動体輸送効率の低下は極めて大きくなることが考えられる。
【００１１】
気体，液体，粉体及び粒体等の流動体の輸送効率を考えて、前記の網状もしくは格子状等のフィルタ類の空隙部の大きさを粗いものにした場合では、前記フィルタ類による混入異物を分離除去する特性の低下が懸念される。流体の輸送効率を得るために前記フィルタ類の目を細かなものにした場合では、流体の輸送における大きな抵抗となって輸送効率の低下として著しいものとならざるを得ない。流体類の輸送効率と混入異物類の除去分離特性は両立させることが極めて困難なものと考えられる。
【００１２】
流体類として固形物を含有するものであるならば、前記フィルタ類の目が細かなものである場合では該固形物が前記フィルタ類目に詰まる現象も発生する危惧がある。このように、含有する固形物により前記フィルタ類の機能が全く失われる状況も発生する。前記フィルタ類が詰まらないようにフィルタ類の目を粗いものに設定したならば、混入した異物類を分離除去する機能が大きく制限され、フィルタ類の本来の目的が達成されない。
【００１３】
本発明は、このような相入れない複数の問題点を鑑みてなされたものであり、気体，液体，粉体及び粒体等の輸送路に形成された。髪の毛や体毛や昆虫や昆虫の足や昆虫の触角やその他の様々な混入異物類を除去するためのフィルタ類を提供するものである。
【課題を解決するための手段】
【００１４】
本発明に係る請求項１に示された異物類除去装置は、髪の毛や体毛や昆虫や昆虫の足や昆虫の触角やその他の様々な異物類が混入している可能性がある気体，液体，粉体及び粒体等の流動体等を移送する移送路の途中に設けられていて、前記流動体等に混入している前記異物類等を除去する異物類除去装置において、前記流動体等を導入する導入口とこの導入口から導入された前記流動体等から前記異物類等を除去する異物類除去部とこの異物類除去部を通過した前記流動体等を排出する排出口とを備えた異物類除去装置であり、この前記異物類除去装置の内部に異物類除去用フィルタを備え、該フィルタが多くの徐々に狭くなる間隙部を有する構造をもち、多数の孔が形成された板状もしくは円筒状等の形状であり、該孔の周辺もしくは一部もしくは全部に前記の徐々に狭くなる間隙部を有することを特徴とする前記異物類除去用フィルタである異物類除去装置。
【００１５】
本発明に係る請求項２に示された異物類除去方法は、髪の毛や体毛や昆虫や昆虫の足や昆虫の触角やその他の様々な異物類が混入している可能性がある気体，液体，粉体及び粒体等の流動体等を移送する移送路の途中に設けられていて、前記流動体等に混入している前記異物類等を除去する異物類除去装置において、前記流動体等を導入する導入口とこの導入口から導入された前記流動体等から前記異物類等を除去する異物類除去部とこの異物類除去部を通過した前記流動体等を排出する排出口とを備えた異物類除去装置であり、この前記異物類除去装置の内部に異物類除去用フィルタを備え、該フィルタが多くの徐々に狭くなる間隙部を有する構造をもち、多数の孔が形成された板状もしくは円筒状等の形状であり、該孔の周辺もしくは一部もしくは全部に前記の徐々に狭くなる間隙部を有することを特徴とする前記異物類除去用フィルタを用いた異物類除去方法。
【００１６】
本発明に係る請求項３に示された異物類除去装置は、髪の毛や体毛や昆虫や昆虫の足や昆虫の触角やその他の様々な異物類が混入している可能性がある気体，液体，粉体及び粒体等の流動体等を移送する移送路の途中に設けられていて、前記流動体等に混入している前記異物類等を除去する異物類除去装置において、前記流動体等を導入する導入口とこの導入口から導入された前記流動体等から前記異物類等を除去する異物類除去部とこの異物類除去部を通過した前記流動体等を排出する排出口とを備えた異物類除去装置であり、この前記異物除類去装置の内部に異物類除去用フィルタを備え、該フィルタが多くの徐々に狭くなる間隙部を有する構造をもち、多数の孔が形成された板状もしくは円筒状等の形状であり、前記板状もしくは円筒状の金属等部の一部を切断し、該切断部以外の連結部を曲げることにより前記板状もしくは円筒状等の異物類除去部に多数の孔を形成し、該孔の周辺もしくは一部もしくは全部に前記の徐々に狭くなる間隙部を有することを特徴とする前記異物類除去用フィルタを用いた異物類除去装置。
【００１７】
本発明に係る請求項４に示された異物類除去方法は、髪の毛や体毛や昆虫や昆虫の足や昆虫の触角やその他の様々な異物類が混入している可能性がある気体，液体，粉体及び粒体等の流動体等を移送する移送路の途中に設けられていて、前記流動体等に混入している前記異物類等を除去する異物類除去装置において、前記流動体等を導入する導入口とこの導入口から導入された前記流動体等から前記異物類等を除去する異物類除去部とこの異物類除去部を通過した前記流動体等を排出する排出口とを備えた異物類除去装置で異物類を除去する方法であり、この前記異物除類去装置の内部に異物類除去用フィルタを備え、該フィルタが多くの徐々に狭くなる間隙部を有する構造をもち、多数の孔が形成された板状もしくは円筒状等の形状であり、前記板状もしくは円筒状の金属等部の一部を切断し、該切断部以外の連結部を曲げることにより前記板状もしくは円筒状等の異物類除去部に多数の孔を形成し、該孔の周辺もしくは一部もしくは全部に前記の徐々に狭くなる間隙部を有することを特徴とする前記異物類除去用フィルタを用いた異物類除去装置により異物類を除去する異物類除去方法。
【００１８】
本発明に係る請求項５に示された異物類除去装置は、髪の毛や体毛や昆虫や昆虫の足や昆虫の触角やその他の様々な異物が混入している可能性がある気体，液体，粉体及び粒体等の流動体等を移送する移送路の途中に設けられていて、前記流動体等に混入している前記異物類等を除去する異物類除去装置において、前記流動体等を導入する導入口とこの導入口から導入された前記流動体等から前記異物類等を除去する異物類除去部とこの異物類除去部を通過した前記流動体等を排出する排出口とを備えた異物類除去装置であり、この前記異物類除去装置の内部に異物類除去用フィルタを備え、該フィルタの前記異物類除去部が板状もしくは短冊状もしくは棒状の金属等により構成され、該板状もしくは短冊状もしくは棒状の金属等がお互いに徐々に狭くなる間隙部を形成することを特徴とし、形成された徐々に狭くなる間隙部により、移送される気体，液体，粉体もしくは粒体等に混入した異物類を除去することを特徴とする異物類除去装置。
【００１９】
本発明に係る請求項６に示された異物類除去装置は、髪の毛や体毛や昆虫や昆虫の足や昆虫の触角やその他の様々な異物が混入している可能性がある気体，液体，粉体及び粒体等の流動体等を移送する移送路の途中に設けられていて、前記流動体等に混入している前記異物類等を除去する異物類除去装置において、前記流動体等を導入する導入口とこの導入口から導入された前記流動体等から前記異物類等を除去する異物類除去部とこの異物類除去部を通過した前記流動体等を排出する排出口とを備えた異物類除去装置で異物類を除去する方法であり、この前記異物類除去装置の内部に異物類除去用フィルタを備え、該フィルタの前記異物類除去部が板状もしくは短冊状もしくは棒状の金属等により構成され、該板状もしくは短冊状もしくは棒状の金属等がお互いに徐々に狭くなる間隙部を形成することを特徴とし、形成された徐々に狭くなる間隙部により、移送される気体，液体，粉体もしくは粒体等に混入した異物類を除去することを特徴とする異物類除去装置により異物類を除去する異物類除去方法。
【発明の効果】
【００２０】
本発明による異物類除去装置及び異物類除去方法では、髪の毛や体毛や昆虫や昆虫の足や昆虫の触角やその他の様々な異物類が混入している可能性がある気体，液体，粉体及び粒体等の流動体等を移送する移送路の途中に設けられていて、前記流動体等に混入している前記異物類等を除去する異物類除去装置において、前記流動体等を導入する導入口とこの導入口から導入された前記流動体等から前記異物類等を除去する異物類除去部及びこの異物類除去部を通過した前記流動体等を排出する排出口を備えた異物類除去装置であり、この前記異物類除去装置の内部に異物類除去用フィルタを備え、該フィルタにより前記異物類除去を行なうことができる異物類除去装置及び異物類除去方法を実現することが可能となる。
【００２１】
本発明により構成されたフィルタでは、粘度が大きな流動体等であり、固形物を含有して網状もしくは格子状の形状を有するフィルタでは目詰まりを発生する懸念がある流動体等に混入した髪の毛や体毛や昆虫や昆虫の足や昆虫の触角やその他の様々な異物類を効果的に分離除去することが可能であるフィルタ装置を提供する。
【００２２】
本発明により構成された混入異物類分離除去を行なうためのフィルタでは、前記異物類除去部が円筒状もしくは平板状の金属類等により構成され、金属類の一部を切断し、切断部以外の連結部を曲げるなどして多数の徐々に狭くなる間隙を形成することにより、間隙部にて髪の毛や体毛や昆虫や昆虫の足や昆虫の触角やその他の様々な異物を分離除去することが可能となるフィルタ装置を提供することができる。
【００２３】
本発明により構成された混入異物類分離除去を行なうためのフィルタでは、前記異物類除去部が板状もしくは短冊状もしくは棒状の金属等により構成され、該板状もしくは短冊状もしくは棒状の金属等がお互いに徐々に狭くなる間隙を形成することにより、間隙部にて髪の毛や体毛や昆虫や昆虫の足や昆虫の触角やその他の様々な異物を分離除去することが可能となるフィルタ装置を提供することができる。
【００２４】
本発明の混入異物除去フィルタは、該フィルタ部に形成された徐々に狭くなる間隙部により髪の毛や体毛や昆虫や昆虫の足や昆虫の触角やその他の様々な異物類を分離除去することを特徴とするのであり、前記フィルタの加工方法，製造工程，材質等や異物類除去部の内部の加工方法，製造工程，材質等により制限されるものではない。
【発明を実施するための最良の形態】
【００２５】
以下、添付の図面を参照して、この発明の最良の実施の形態を詳細に説明する。図１は本発明の一実施形態に係わる異物類除去装置１を示す構成図である。異物類除去装置１は、異物を含む気体，液体，粉体及び粒体等の流動体等が導入される導入口１１と、この導入口１１から導入された前記流動体等から異物類を除去する異物類除去部１２と、この異物類除去部１２を通過した前記流動体等を排出する排出口１３とを備え、構成される。なお、異物類除去部１２には、フィルタ２０が設置されている。
【００２６】
図１に示したように、異物を含む気体，液体，粉体及び粒体等の流動体等は導入口１１から導入され、図１に示された矢印のように輸送され異物類除去部１２に設置されたフィルタ２０を通過した後矢印で示されたように輸送され排出口１３から排出される。
【００２７】
図１に示されたように、気体，液体，粉体及び粒体等の流動体等に混入した異物類は、異物類除去部１２に設置されたフィルタ２０を異物を含む前記気体，液体，粉体及び粒体等の流動体等が通過する時に除去される。
【００２８】
混入した異物を、該異物類を含む前記気体，液体，粉体及び粒体等の流動体等から分離除去するにあたり、該異物類を含む前記気体，液体，粉体及び粒体等の流動体等が比較的大きな粘度を有している流動体等であるならば、フィルタ２０を通過するにあたりフィルタ２０に大きな圧力を与えることとなる。本発明によるフィルタ２０では、該フィルタ２０を強固な構造材料、例えばステンレス等により構成することが可能となる。
【００２９】
前記異物類除去部１２に設置されたフィルタ２０は、構成される材料に制限されるものではなく、フィルタ２０を構成することができる材料であればよい。また、図１に示したフィルタ２０は円筒状であるが、このような形状により制限されるものではない。フィルタ２０は、平板状であってもよく、また、円錐状であってもよい。フィルタ２０はその形状により制限されるものではなく、フィルタ２０の有する徐々に狭くなる間隙部が形成されていることによりその機能を発揮する。
【００３０】
図２は、フィルタ２０として平板状のものを設置した異物類除去装置１の一例の構成を示す説明図である。異物類除去部１２には平板状のフィルタ２０が設置されている。フィルタ２０の形状は任意であり、異物類除去装置１の設置される状況に最適な形状のものを用いることができる。
【００３１】
図３において本発明のフィルタ２０として、棒状もしくは短冊状もしくは板状の形状から構成され、徐々に狭くなる間隙部を有する構成物を用いた異物類除去部１２を用いた前記異物類除去装置１を示す。本発明は、フィルタ２０が徐々に狭くなる多数の間隙部を有することを特徴とするのであり、その徐々に狭くなる間隙部を構成する部分の近傍の形状は制限されない。本明細書には円筒状，板状及び多数の棒状によるものを示したが、このような形状に制限されるものではない。
【実施例】
【００３２】
以下に、本発明の実施の一例を示し、本発明の効果を示す。本発明の実施の例として、図１に示した異物類除去装置１を試作した。試作した装置を装置Ａとした。また、３ｍｍの間隔をもつステンレス網をフィルタとして設置した装置を試作し装置Ｂとした。
【００３３】
装置Ａを用いて、異物類除去能力比較確認試験を実施した。マスタード粒子を含有するマヨネーズを流動体として用い、１００リットルの流動体に対して混入した異物として髪の毛を１０本混入した。前記の装置Ａ及び装置Ｂを用いて夫々に毎分１０リットルの流速で異物類除去試験を行った。髪の毛１０本を混入した１００リットルの流動体を夫々装置Ａ及び装置Ｂを用いて処理し、その異物類除去能力を比較した。夫々の装置を用いて異物類除去を行なった結果、装置Ａでは全ての髪の毛である１０本を分離除去することができた。対して、装置Ｂでは、５本の髪の毛を分離除去することができたが、５本はステンレスによるフィルタを通過した。装置Ａにおいては、混入した異物類である髪の毛を全て分離除去することができたのに対して、装置Ｂにおいては混入した髪の毛を効率的に分離除去することは困難であった。
【００３４】
前記のように、混入した異物類除去能力比較試験の結果、本発明による異物類除去装置１は従来の異物類除去装置である網を用いたフィルタと比較して明らかに改良がみられ、従来問題点として指摘されていた粘度の大きな流動体に対して十分な異物類除去機能を提供することができる。
【産業上の利用可能性】
【００３５】
以上述べたように、本発明によれば、気体，液体，粉体及び粒体等の流動体の中に混入した異物類を効率的に分離除去する機能を提供することができる異物類除去装置を提供することができる。
【図面の簡単な説明】
【００３６】
【図１】本発明の一実施形態に係わる異物類除去装置の一例を示す説明図である。
【図２】本発明の別の一実施形態に係わる異物類除去装置の一例を示す説明図である。
【図３】本発明の別の一実施形態に係わる異物類除去装置の一例を示す説明図である。
【符号の説明】
【００３７】
１    異物類除去装置
１１  導入部
１２  異物類除去部
１３  排出口
２０  フィルタ
【図１】
2005205370.tif 000003
【図２】
2005205370.tif 000004
【図３】
2005205370.tif 000005
【手続補正書】
【提出日】平成16年1月30日(2004.1.30)
【手続補正１】
【補正対象書類名】図面
【補正対象項目名】図３
【補正方法】変更
【補正の内容】
【図３】
2005205370.tif 000006